(57)【特許請求の範囲】
【請求項１】
上部に器具が載置されるとともに、着座した状態の使用者の下肢の部分の進入を許容する収容部が形成されたキャビネットであって、
前記キャビネットの、構成部材の前記収容部側の小口に配設された緩衝部材を備え、
前記キャビネットは、右側板、左側板、及び、前記右側板と左側板とを繋ぐ前板とを含んで構成され、
前記緩衝部材は、前記右側板の小口、及び、前記左側板の小口のうちの少なくとも何れかに配設され、
前記右側板及び前記左側板に配設された前記緩衝部材は、前記各小口の下端まで延びて前記キャビネットの脚片に達し、
前記脚片は、前記硬質部材に形成された前記軟質部材と係合するための係合部に連結する係合部が形成されているキャビネット。
【請求項２】
前記器具は洗面ボウル部である請求項１に記載のキャビネット。
【発明の詳細な説明】
【技術分野】
【０００１】
本発明は、例えば、洗面化粧台におけるように、上部に洗面ボウル部等の器具が載置されるキャビネットに関する。
【背景技術】
【０００２】
近年、洗面ボウル部の下方に一定の空間が確保され、車椅子に乗ったままの姿勢で足をその空間に入れ洗面ボウル部に接近して使用することのできる洗面化粧台等が提案されている（例えば、特許文献１、特許文献２参照）。
一方、他の物品との衝突に対し、机天板等の板部材の外周側縁面を保護するために、軟質合成樹脂製の被覆用縁部材で板部材の外周を被覆するという提案もなされている（例えば、特許文献３参照）。
また、小口被覆材や板材に寸法誤差等が生じても、板材の小口を良好に被覆することができる小口被覆材及びそれを用いた小口被覆方法の提案もなされている（例えば、特許文献４参照）。
【先行技術文献】
【特許文献】
【０００３】
【特許文献１】特開２００１−３０９８６１号公報
【特許文献２】特開２００３−３３９５６０号公報
【特許文献３】特許第４１１９１７２号公報
【特許文献４】特開２００４−５０４８０号公報
【発明の概要】
【発明が解決しようとする課題】
【０００４】
しかしながら、特許文献１及び特許文献２の技術では、車椅子に乗った使用者が洗面化粧台を通常使用する場合の使い勝手の向上をはかることを主眼とし、使用者が不用意に足下の何れかの部材に足をぶつけるなどの事態に対処することは技術課題として扱われていなかった。従って、このような技術課題に対応するための提案は開示されていない。
【０００５】
また、特許文献３及び特許文献４の技術では、板部材の外周側縁面や小口について、他の物品との衝突による損傷回避のための被覆用縁部材を設ける際の、施工を容易にすることや、寸法誤差の吸収について提案されている。しかしながら、これらの特許文献所載の技術においても、洗面化粧台の使用に際して、使用者が不用意に足下の何れかの部材に足をぶつけるなどの事態に対処することは技術課題として扱われず、このような技術課題に対応するための提案はなされていない。
【０００６】
本発明は、上記事情に鑑みてなされたものであり、車椅子に乗った使用者が不用意に足下のキャビネット構成部材に足をぶつけるなどの事態が発生した場合にも、その使用者が別段の危害を被るおそれのない、キャビネットを提供することを目的とする。
【課題を解決するための手段】
【０００７】
上記技術課題に対応するために、ここに、次のような技術を提案する。
【０００８】
本発明は、上部に器具（例えば、後述の洗面ボウル部１１０）が載置されるとともに、着座した状態の使用者の下肢の部分の進入を許容する収容部（例えば、後述の進入許容スペース１００ｓ）が形成されたキャビネットであって、
前記キャビネットの構成部材（例えば、後述の右側板１２１、左側板１２２、前板１２５）の、前記収容部側の小口（例えば、後述の小口１２３、１２４、１２５ａ）に配設された緩衝部材（例えば、後述の緩衝部材１３１、１３２、１３３）を備えるキャビネットを提供する。
【０００９】
また、前記キャビネットは、右側板（例えば、後述の右側板１２１）、左側板（例えば、後述の左側板１２２）、及び、前記右側板と左側板とを繋ぐ前板（例えば、後述の前板１２５）とを含んで構成され、
前記緩衝部材は、前記右側板の小口（例えば、後述の小口１２３）、前記左側板の小口（例えば、後述の１２４）、及び、前記前板の小口（例えば、後述の１２５ａ）のうちの少なくとも何れかに配設されていることが好ましい。
【００１０】
また、前記緩衝部材は、前記キャビネットの構成部材に固定される硬質部材（例えば、後述の硬質部材１３１ａ、１３２ａ、１３３ａ）と、前記硬質部材に着脱可能に係合する軟質部材（例えば、後述の軟質部材１３１ｂ、１３２ｂ、１３３ｂ）とを含んで構成されることが好ましい。
【００１１】
また、前記右側板及び前記左側板に配設された前記緩衝部材は、前記各小口の下端まで延びて前記キャビネットの脚片（例えば、後述の脚片１４１、１４２）に達し、
前記脚片は、前記硬質部材に形成された前記軟質部材と係合するための係合部（例えば、後述の係合用凹条部１３１ｅ、１３２ｅ）に連結する係合部（例えば、後述の係合用凹部１４０ｂ）が形成されていることが好ましい。
【００１２】
また、前記器具は洗面ボウル部（例えば、後述の洗面ボウル部１１０）であることが好ましい。
【発明の効果】
【００１３】
本発明によれば、車椅子に乗った使用者が不用意に足下のキャビネット構成部材に足をぶつけるなどの事態が発生した場合にも、その使用者が別段の危害を被るおそれのない、キャビネットが具現される。
【図面の簡単な説明】
【００１４】
【図１】本発明の一実施形態としてのキャビネットを有する洗面化粧台を車椅子に乗った使用者が使用しようとしている様子を右側面視した図である。
【図２】図１の洗面化粧台の斜視図である。
【図３】図１の洗面化粧台を左側面視した図である。
【図４】図１の洗面化粧台に適用される緩衝部材の構造を例示する図である。
【図５】図１の洗面化粧台に適用される脚片の構造を示す拡大図である。
【図６】図５の脚片を洗面化粧台に取付けた様子を示す図である。
【発明を実施するための形態】
【００１５】
以下、図面を参照して本発明の実施形態について詳述することにより本発明を明らかにする。
【００１６】
図１は、本発明の一実施形態としてのキャビネットを有する洗面化粧台を車椅子に乗った使用者が使用しようとしている様子を右側面視した図である。
尚、本発明に関して「キャビネット」は、必ずしも、内部に物品を収納する構成のものに限られず、器具を載置するようになされ、着座した状態の使用者の下肢の部分の進入を許容する収容部が形成された構造体一般の意である。
【００１７】
図１において、使用者１は、車椅子１０に乗って洗面化粧台１００に接近した位置に居る。この洗面化粧台１００は、器具としての洗面ボウル部１１０がキャビネット１２０の上に載置されて構成されている。洗面化粧台１００の洗面ボウル部１１０の下方に位置するキャビネット１２０には、使用者１が車椅子１０のフットレスト１１に足２を乗せたままで、下肢３の部分を進入させて洗面ボウル部１１０に接近することを可能にする収容部としての進入許容スペース１００ｓが確保されている。
【００１８】
以下、この洗面化粧台１００に関する説明において、使用者１が通常の使用において洗面ボウル部１１０に臨んだ場合の視座における左右及び前後（手前側が前、奥側が後）の向きを以て、各部を称し、向きを表すものとする。
上述の進入許容スペース１００ｓは、洗面化粧台１００の洗面ボウル部１１０下方に、キャビネット１２０の構成部材である右側板１２１とこれに対応する図１では見えない構成部材である左側板１２２（図２、図３）とに囲まれて形成されている。
【００１９】
右側板１２１の、進入許容スペース１００ｓ側の小口１２３の部分には、右側板１２１の緩衝部材１３１が、小口１２３に沿って洗面ボウル部１１０の底部より若干低い部位から右側板１２１下方底部の脚片１４１に達するまで延長して配されている。
後に詳述するように、緩衝部材１３１は硬質部材１３１ａに軟質部材１３１ｂが係合して構成され、その上端にはキャップ１５１が嵌装されている。
【００２０】
次に、既述の図１に、図２、及び、図３を併せ参照して、洗面化粧台１００について更に詳述する。
図２は図１の洗面化粧台１００の斜視図、図３は図１の洗面化粧台１００を左側面視した図である。
尚、これらの図面において、対応部は同一の符号を附して示してある。
本例における洗面ボウル部１１０は、洗面ボウル１１１とカウンター部１１２とが一体に成形されたものである。
【００２１】
洗面化粧台１００のキャビネット１２０は、右側板１２１と左側板１２２とが、前板１２５及び背板１２６とによって連結されて、上記の洗面ボウル部１１０を載置して支持するに十分な剛性と強度を有する構造体を構成している。
この場合、前板１２５は下側程後方に後退するように傾斜しており、これにより、上述の進入許容スペース１００ｓ内では、車椅子１０のフットレスト１１に乗せた使用者１の下肢の部分である足２に干渉が生じにくいようになされている。
【００２２】
図１を参照して既述の右側板１２１におけると同様に、左側板１２２にも、緩衝部材１３２が、小口１２４に沿って洗面ボウル部１１０の底部より若干低い部位から左側板１２２下方底部の脚片１４２に達するまで延長して配されている。
また、前板１２５の、進入許容スペース１００ｓ側の小口１２５ａに沿って、この小口１２５ａの長手方向の略全域に亘って緩衝部材１３３が配されている。
【００２３】
右側板１２１の小口１２３に配された緩衝部材１３１と、左側板１２２の小口１２４に配された緩衝部材１３２とは相似的な構成を有する。
上述した緩衝部材の構造は、例えば、図４のようなものが考えられる。
図４は、緩衝部材の構造について３通りの例を示している。
図４の（Ａ）部は緩衝部材の構造の第１の例であり、緩衝部材１３１（１３２）を断面視した様子を表している。
緩衝部材１３１（１３２）は、キャビネット１２０の構成部材である右側板１２１（左側板１２２）の小口１２３（１２４）に固定される硬質部材１３１ａ（１３２ａ）と、硬質部材１３１ａ（１３２ａ）に係合する軟質部材１３１ｂ（１３２ｂ）とを含んで構成される。
【００２４】
硬質部材１３１ａ（１３２ａ）は、右側板１２１（左側板１２２）の小口１２３（１２４）に沿って、洗面ボウル部１１０の底部より若干低い部位から右側板１２１（左側板１２２）下方底部の脚片１４１（１４２）に達するまで延長した細長いレール部材である。硬質部材１３１ａ（１３２ａ）は、右側板１２１（左側板１２２）の小口１２３（１２４）への対向面に、小口１２３（１２４）との間に隙間ができる凹部１３１ｃ（１３２ｃ）が形成されている。そして、この凹部１３１ｃ（１３２ｃ）による隙間に収まる両面テープ１３１ｄ（１３２ｄ）を用いて、硬質部材１３１ａ（１３２ａ）は、右側板１２１（左側板１２２）の小口１２３（１２４）に接着されている。
【００２５】
硬質部材１３１ａ（１３２ａ）の断面は、図４の（Ａ）部より明らかなとおり、前方（図４の紙面では下方）中央部の開放口が若干狭められた係合用凹条部１３１ｅ（１３２ｅ）が形成され、この係合用凹条部１３１ｅ（１３２ｅ）が図４の紙面に垂直な長手方向（図１乃至図３で上下方向）に延長されている。
【００２６】
一方、軟質部材１３１ｂ（１３２ｂ）の断面は、図４の（Ａ）部より明らかなとおり、硬質部材１３１ａ（１３２ａ）の係合用凹条部１３１ｅ（１３２ｅ）に嵌合可能なように断面視で二股に分かれた係合用凸条部１３１ｆ（１３２ｆ）が形成され、この係合用凸条部１３１ｆ（１３２ｆ）が図４の紙面に垂直な長手方向（図１乃至図３で上下方向）に延長されている。特に、この軟質部材１３１ｂ（１３２ｂ）は、硬質部材１３１ａ（１３２ａ）の係合用凹条部１３１ｅ（１３２ｅ）に未嵌合の状態では、図４の（Ａ）部の下方に示されたように、係合用凸条部１３１ｆ（１３２ｆ）の両側方の凸条部位間の幅寸法Ｗ０が、係合用凹条部１３１ｅ（１３２ｅ）の内法の幅寸法Ｗ１よりも広い。
軟質部材１３１ｂ（１３２ｂ）の二股に分かれた係合用凸条部１３１ｆ（１３２ｆ）は、元々の両側方の凸条部位間の幅寸法がＷ０であったところ、硬質部材１３１ａ（１３２ａ）の係合用凹条部１３１ｅ（１３２ｅ）に上記二股が一時的に狭められるように弾性変形させられて嵌入させられる。そして、嵌り合って内部で開くが、開いたときの幅寸法はＷ１に狭められる。このため、仮想線にて図示のように幅寸法をＷ０に復帰させようとする弾発力が常時作用してしっかりと係合する。
【００２７】
図４の（Ｂ）部は緩衝部材の構造の第２の例であり、（Ａ）部との対応部位には同一の符号を附して示してある。
（Ｂ）部の第２の例における緩衝部材２３１（２３２）は、既述の緩衝部材１３１（１３２）に対応する別の態様のものであり、軟質部材２３１ｂ（２３２ｂ）が、その外形を第１の例と略相似形にするも、内部に中空部を有しない点が（Ａ）部における第１の例との差異である。硬質部材１３１ａ（１３２ａ）等、その他の構成上の特徴については、既述の第１の例と略同様である。軟質部材２３１ｂ（２３２ｂ）が、内部に中空部を有しないため、大きな衝撃力に抗するに有利であり、且つ、耐久性も高い。また、第１の例と硬質部材１３１ａ（１３２ａ）を共通にするものであるため、キャビネット１２０における適用部位に応じて、適宜部分的に、軟質部材をこの第２の例のタイプのものにしてもよい。このため、外部からの大きな衝撃力からキャビネット１２０自体を保護するために用いても効果的である。
図４の（Ｃ）部は緩衝部材の構造の第３の例であり、（Ａ）部との対応部位には同一の符号を附して示してある。
（Ｃ）部の第３の例における緩衝部材３３１（３３２）は、既述の緩衝部材１３１（１３２）に対応する別の態様のものであるが、この例では、硬質部材３３１ａ（３３２ａ）及び軟質部材３３１ｂ（３３２ｂ）の何れも（Ａ）部における第１の例とは異なる。
軟質部材３３１ｂ（３３２ｂ）は、断面視で略半円形状の凸状部分の外形は、第１の例及び第２の例と略相似形であり、内部には断面視で閉じた中空部が形成されている。
硬質部材３３１ａ（３３２ａ）は、第１の例や第２の例におけるよりも小口１２３（１２４）からの突出高さが低い平型のレール部材をなしている。凹部３３１ｃ（３３２ｃ）による隙間に収まる両面テープ３３１ｄ（３３２ｄ）を用いて小口１２３（１２４）に接着されている点は既述の例と同様である。この硬質部材３３１ａ（３３２ａ）における係合用凹条部３３１ｅ（３３２ｅ）は、断面視で開口よりも奥側が広がった概略Ｔ字状をなしている。この係合用凹条部３３１ｅ（３３２ｅ）に対応する軟質部材３３１ｂ（３３２ｂ）側の係合用凸条部３３１ｆ（３３２ｆ）は、断面視で基部側よりも頭部側が広がった概略Ｔ字状をなしている。即ち、係合用凸条部３３１ｆ（３３２ｆ）は、第１の例や第２の例におけるような二股を形成していない。しかし、第１の例や第２の例に比し、軟質部材３３１ｂ（３３２ｂ）側の係合用凸条部３３１ｆ（３３２ｆ）は、係合用凹条部３３１ｅ（３３２ｅ）に対し、より密着して係合する。更に、係合用凸条部３３１ｆ（３３２ｆ）がその外側の硬質部材３３１ａ（３３２ａ）によって覆われる形となる点は第１の例や第２の例と同様であるため、外力によって軟質部材が離脱してしまうおそれが極小となる。
【００２８】
前板１２５下端の小口１２５ａに配された緩衝部材１３３についても、その構造は、上述の緩衝部材１３１及び１３２と同様である。即ち、緩衝部材１３３は、硬質部材１３１ａ（１３２ａ）と同様の硬質部材１３３ａの係合用凹条部に、軟質部材１３１ｂ（１３２ｂ）と同様の軟質部材１３３ｂの係合用凸条部が嵌り合って、これら硬質部材１３３ａと軟質部材１３３ｂとが係合する。
硬質部材１３１ａ（１３２ａ）及び軟質部材１３１ｂ（１３２ｂ）は、長尺の押出し成形品を定寸に切断して製作される。この切断面は鋭利なものとなるため、緩衝部材１３１（１３２）の各上端側にはキャップ１５１（１５２）が嵌装されて使用者の安全が確保される。
前板１２５の緩衝部材１３３の両端についても、同様のキャップ１５３が嵌装される。
【００２９】
既述のように、緩衝部材１３１（１３２）の下端側は、右側板１２１（左側板１２２）下方底部の脚片１４１（１４２）に達するまで延長している。この場合、緩衝部材１３１（１３２）の下端と床との隙間は、例えば、３ｍｍ以下程度に設定され、足指が隙間に挟まる等の不測の事態が発生しないようになされている。
【００３０】
図５は、洗面化粧台１００に適用される脚片の構造を示す拡大図である。
脚片１４０は、例えば、樹脂製の、概略直方体状の本体部１４０ａの前端側に、緩衝部材１３１（１３２）における軟質部材１３１ｂ（１３２ｂ）の係合用凸条部１３１ｆ（１３２ｆ）の下端部と係合する係合用凹部１４０ｂが形成されている。
係合用凹部１４０ｂは本体部１４０ａと共に、緩衝部材１３１（１３２）の下端側の部位を保持する保持部を構成している。
【００３１】
係合用凹部１４０ｂは平面視で、図４を参照して既述の硬質部材１３１ａ（１３２ａ）の係合用凹条部１３１ｅ（１３２ｅ）の断面視形状と相似である。また、この係合用凹部１４０ｂの外周側の形状は、図４の硬質部材１３１ａ（１３２ａ）の外周側の形状と相似である。
そして、係合用凹部１４０ｂの底部１４０ｃは平面状をなして閉じている。この係合用凹部１４０ｂに、軟質部材１３１ｂ（１３２ｂ）の係合用凸条部１３１ｆ（１３２ｆ）の下端部が係合した状態において、当該下端部は係合用凹部１４０ｂの底部１４０ｃに達せず、適度な隙間が生じるようになされている。この隙間によって、環境温度の変化や経年変化による軟質部材１３１ｂ（１３２ｂ）の長さ寸法の変化が吸収される。
【００３２】
次に、上述の図５に図６を併せ参照して、脚片１４０について更に詳述する。
図６は、脚片１４０がキャビネット１２０の右側板１２１底部に取付けられた様子を表す図である。図６では、説明の便宜上、右側板１２１の小口１２３に沿って緩衝部材１３１の硬質部材１３１ａが配され、軟質部材１３１ｂは未装着である状態を表している。
【００３３】
脚片１４０の、キャビネット１２０の左側板１２２底部への取付けは、右側板１２１底部への取付けと相似的である。このため、左右両側板１２１及び１２２への脚片１４０の取付けの態様は、代表的に右側板１２１について説明する。
脚片１４０の本体部１４０ａ後方寄りの上面に、キャビネット１２０の右側板１２１底部に設けられた係合孔（不図示）と係合する係合用凸部１４０ｄが該上面に垂直に突設されている。この係合用凸部１４０ｄが上記係合孔に嵌り合うことによって、脚片１４０が右側板１２１底部に固定される。
【００３４】
係合用凸部１４０ｄがキャビネット１２０の右側板１２１底部に設けられた係合孔に嵌入係合された状態において、脚片１４０の前端側は右側板１２１の前端面である小口１２３よりも前側に突出する。このように突出した部分に、右側板１２１の小口１２３に沿って下方に延長して配された硬質部材１３１ａの下端側が重なる。
【００３５】
既述のように、脚片１４０の係合用凹部１４０ｂは、平面視で、図４を参照して既述の硬質部材１３１ａ（１３２ａ）の係合用凹条部１３１ｅ（１３２ｅ）の断面視形状と相似である。また、脚片１４０の係合用凹部１４０ｂの外周側の形状は、図４の硬質部材１３１ａ（１３２ａ）の外周側の形状と相似である。
従って、上述のように、脚片１４０の前端側の部分に硬質部材１３１ａの下端側が重なった状態において、脚片１４０の前端側の外周面と硬質部材１３１ａの下端側の外周面とが面一になる。また、脚片１４０の係合用凹部１４０ｂと硬質部材１３１ａの係合用凹条部１３１ｅとが面一になる。
【００３６】
即ち、脚片１４０は、硬質部材１３１ａに形成された軟質部材１３１ｂと係合するための係合部（係合用凹条部１３１ｅ、１３２ｅ）に連結する係合部（係合用凹部１４０ｂ）が形成されている。
このため、右側板１２１の前端面（小口１２３）側には、硬質部材１３１ａの係合用凹条部１３１ｅと脚片１４０の係合用凹部１４０ｂとが上下に連続に連なった係合用凹部が構成される。そして、このように連なった係合用凹部に軟質部材１３１ｂが係合する。
この点は、左側板１２２の前端面（小口１２４）側についても同様の様相を呈する。
【００３７】
尚、硬質部材１３１ａが、脚片１４０の本体部１４０ａ上面との間に適度な隙間を生じるように相互の位置関係を設定しておく場合には、環境温度の変化や経年変化による硬質部材１３１ａの伸縮がこの隙間によって吸収される。
【００３８】
脚片１４０の本体部１４０ａは、係合用凸部１４０ｄよりも後側のブロック部分の内部が空間となった構造を採ることができる。この場合の空間は、例えば、底部側が開放された形をなし、この結果、本体部１４０ａは、係合用凸部１４０ｄが形成された部分を除き、全体として無底の箱体の形態をなす。
脚片１４０をこのように構成することにより、床面上でのすべり防止と衝撃吸収性に優れた特性を得ることができる。
【００３９】
以上、詳述した本発明の実施形態は次のような作用効果を奏する。
【００４０】
本発明の実施形態としてのキャビネット１２０は、上部に器具である洗面ボウル部１１０が載置されるとともに、着座した状態の使用者の下肢の部分の進入を許容する収容部（進入許容スペース１００ｓ）が形成されたキャビネットであって、キャビネット１２０の構成部材である右側板１２１、左側板１２２、前板１２５の収容部（進入許容スペース１００ｓ）側の小口１２３、１２４、１２５ａに配設された緩衝部材１３１、１３２、１３３を備える。
このようなキャビネット１２０によれば、車椅子に乗った使用者が不用意に足下のキャビネット構成部材（右側板１２１、左側板１２２、及び、前板１２５）に足をぶつけるなどの事態が発生した場合にも、緩衝部材１３１、１３２、及び、１３３が配されているため、その使用者が怪我や打撲等別段の危害を被るおそれを免れる。
【００４１】
また、キャビネット１２０は、右側板１２１、左側板１２２、及び、右側板１２１と左側板１２２とを繋ぐ前板１２５とを含んで構成され、緩衝部材１３１、１３２、及び、１３３は、右側板１２１の小口１２３、左側板１２２の小口１２４、及び、前板１２５の小口１２５ａのうちの少なくとも何れかに配設されている。
キャビネット１２０をこのように構成することにより、車椅子に乗った使用者が不用意に足下のキャビネット構成部材（右側板１２１、左側板１２２、及び、前板１２５の、端部側）に足をぶつけるなどの事態が発生した場合にも、緩衝部材１３１、１３２、及び、１３３が配されているため、その使用者が怪我や打撲等別段の危害を被るおそれを免れる。
【００４２】
また、着脱可能な緩衝部材１３１、１３２、及び、１３３は、キャビネットの構成部材としての右側板１２１、左側板１２２、及び、前板１２５に固定される硬質部材１３１ａ、１３２ａ、及び、１３３ａと、硬質部材１３１ａ、１３２ａ、及び、１３３ａに着脱可能に係合する軟質部材１３１ｂ、１３２ｂ、及び、１３３ｂとを含んで構成される。
キャビネット１２０をこのように構成することにより、緩衝部材１３１、１３２、及び、１３３のうち、交換の対象となる軟質部材１３１ｂ、１３２ｂ、及び、１３３ｂの交換作業において、キャビネットの構成部材としての右側板１２１、左側板１２２、及び、前板１２５自体に傷をつけるなどのおそれがない。
【００４３】
また、右側板１２１及び左側板１２２に配設された緩衝部材１３１、１３２は、各小口１２３、１２４の下端まで延びてキャビネット１２０の脚片１４０に達し、脚片１４０は、硬質部材１３１ａ、１３２ａに形成された軟質部材１３１ｂ、１３２ｂと係合するための係合部（係合用凹条部１３１ｅ、１３２ｅ）に連結する係合部（係合用凹部１４０ｂ）が形成されている。
この構成によれば、キャビネット１２０の脚片１４０に及んで配された緩衝部材１３１及び１３２の軟質部材１３１ｂ、１３２ｂによって、使用者の足指が隙間に挟まる等の不測の事態が予防される。
【００４４】
また、使用者の安全という視点から優れるだけでなく、キャビネット１２０の構成部材としての右側板１２１及び左側板１２２の各小口１２３及び１２４が他から衝撃力を受けるようなことがあっても、緩衝部材１３１（１３２）によって耐衝撃性が確保され、表面の傷等の損傷の発生も予防できる。
更に、このように連なった係合用凹部（係合用凹条部１３１ｅ、１３２ｅ、及び、係合用凹部１４０ｂ）に軟質部材１３１ｂの係合用凸条部１３１ｆ（１３２ｆ）が係合する。このため、係合している部分では、軟質部材側が外側の硬質部材によって覆われる形となるため、外力によって軟質部材が離脱してしまうおそれが極小となる。
また、更に、脚片１４０の前端側の外周面と硬質部材１３１ａの下端側の外周面とが面一になるため、見栄えがよく、意匠性に優れる。
【００４５】
また、器具は洗面ボウル部１１０であることが好ましい。
この構成によれば、上述のような特徴を有するキャビネット１２０に洗面ボウル部１１０を載置した洗面化粧台１００が構成される。そして、この洗面化粧台１００では、車椅子に乗った使用者が不用意に足下のキャビネット構成部材（右側板１２１、左側板１２２、及び、前板１２５の、端部側）に足をぶつけるなどの事態が発生した場合にも、緩衝部材１３１、１３２、及び、１３３が配されているため、その使用者が怪我や打撲等別段の危害を被るおそれを免れる。
【００４６】
図２の実施形態では、硬質部材１３１ａ及び１３２ａを、キャビネット１２０の構成部材としての右側板１２１及び左側板１２２の小口１２３、１２４に両面テープで接着しておき、この硬質部材１３１ａ及び１３２ａ（レール部材）に対して、緩衝作用のある軟質部材１３１ｂ及び１３２ｂを取り付ける構成を採った。
この構成によれば、緩衝部材１３１及び１３２の取付けによりキャビネット１２０の構成部材としての右側板１２１及び左側板１２２に溝を切り込むなどの工作を施す必要がない。このため、右側板１２１及び左側板１２２の小口１２３、１２４に施された防水性コート部分が切り取られて地板がむき出しになってしまうなどの不都合が生じない。
【００４７】
また、図４の断面視にて既述のとおり、硬質部材１３１ａ（１３２ａ）の断面は、前方（図５の紙面では下方）中央部の開放口が若干狭められた係合用凹条部１３１ｅ（１３２ｅ）が形成されている。そして、軟質部材１３１ｂ（１３２ｂ）の断面は、硬質部材１３１ａ（１３２ａ）の係合用凹条部１３１ｅ（１３２ｅ）に嵌り合う断面視で二股に分かれた係合用凸条部１３１ｆ（１３２ｆ）が形成されている。この二股に分かれた部分の内側は空所とされているため、軟質部材１３１ｂ（１３２ｂ）の係合用凸条部１３１ｆ（１３２ｆ）の二股を相互に寄せるように変形させて硬質部材１３１ａ（１３２ａ）の係合用凹条部１３１ｅ（１３２ｅ）に嵌め合わせる操作が容易である。
【００４８】
従って、緩衝部材１３１（１３２）が図４の態様を採る場合には、軟質部材１３１ｂ（１３２ｂ）の交換が容易である。
更に、軟質部材１３１ｂ（１３２ｂ）が内部にこのような空所を有する形状である場合は、上述の二股の間が何らかの部材によって連結されている形状に比し、製作が容易であるという利点もある。
【００４９】
また、軟質部材１３１ｂ（１３２ｂ）がレール部材である硬質部材１３１ａ（１３２ａ）に係合（嵌合）した状態では、軟質部材１３１ｂ（１３２ｂ）の係合用凸条部１３１ｆ（１３２ｆ）側が外側の硬質部材１３１ａ（１３２ａ）によって覆われる形となるため、外力によって軟質部材１３１ｂ（１３２ｂ）がレール部材から離脱してしまうおそれが極小となる。
【００５０】
以上のように、両面テープで接着した硬質部材に対して、緩衝作用のある軟質部材を上述のような態様で取り付ける構成、及び、この構成による作用効果については、前板１２５の緩衝部材１３３についても同様である。
【００５１】
以上、図面を参照して本発明の一実施形態について詳述したが、本発明はこれに限定されるものではなく、種々変形変更して実施することができる。
例えば、上述の例では、キャビネットの上に洗面ボウル部を載置して洗面化粧台を構成したが、キャビネットの上に天板或いはカウンターを載置して作業用テーブルや作業用カウンターを構成してもよい。
この場合も、車椅子に乗った使用者が不用意に足下のキャビネット構成部材に足をぶつけるなどの事態が発生した場合にも、緩衝部材１３１及び１３２が配されているため、その使用者が怪我や打撲等別段の危害を被るおそれを免れる。
【符号の説明】
【００５２】
１００…洗面化粧台
１００ｓ…進入許容スペース（収容部）
１１０…洗面ボウル部（器具）
１２０…キャビネット
１２１…右側板
１２２…左側板
１２３、１２４、１２５ａ…小口
１２５…前板
１２６…背板
１３１、１３２、１３３…緩衝部材
１３１ａ、１３２ａ、１３３ａ…硬質部材
１３１ｂ、１３２ｂ、１３３ｂ…軟質部材
１３１ｅ、１３２ｅ…係合用凹条部
１４０、１４１、１４２…脚片
１４０ａ…本体部
１４０ｂ…係合用凹部
１５１、１５２、１５３…キャップ
【図１】
0006570240.tif 000002
【図２】
0006570240.tif 000003
【図３】
0006570240.tif 000004
【図４】
0006570240.tif 000005
【図５】
0006570240.tif 000006
【図６】
0006570240.tif 000007